(57)【要約】      （修正有）【課題】  医療機関、あるいは、医療用器具仲介業者における、医療用器具の在庫圧縮と、在庫圧縮に伴う欠品の発生リスクを軽減させることを目的とする。【解決手段】  在庫管理担当者用パソコンＰ２においては、医療用器具の在庫圧縮の実現に必要なコンピュータプログラムにより、在庫圧縮の実現（商品在庫定数の適正化）を計るが、商品在庫定数の適正化に伴い、欠品発生のリスクが高まることが予想される。そこで、滅菌期限切れによる取扱商品の棄却を防止するためのコンピュータプログラムにより、滞留品と看做される商品を早期に見つけ出し、業者間で医療用器具の取引を成立させるコンピュータプログラムにより、その商品に関する情報を取引用サーバーＳ１に記憶させ、医療用器具仲介業者間での取引を可能にさせることにより、欠品発生のリスクを軽減させる。【選択図】  図２
2006252101.tif 000002
【特許請求の範囲】
【請求項１】
医療用器具の在庫圧縮の実現に必要なコンピュータプログラムと、滅菌期限切れによる、取扱商品の棄却を防止するためのコンピュータプログラムと、業者間での医療用器具の取引を成立させるコンピュータプログラムとで、医療機関、あるいは、医療用器具仲介業者における、医療用器具の在庫圧縮と、在庫圧縮に伴う欠品発生リスクを軽減させる方法。
【発明の詳細な説明】
【技術分野】
【０００１】
本発明は医療機関、あるいは、医療用器具仲介業者における、医療用器具の在庫圧縮と、在庫圧縮に伴う欠品発生のリスクの軽減を行うために、医療用器具仲介業者（医療機関も含む）間で、医療用器具の取引をインターネットやパソコンを利用して実現する方法に関するものである。
【背景技術】
【０００２】
現在、医療機関における、医療用器具の在庫管理については、医療機関が医療用器具仲介業者に業務委託して、その管理を行っている、というようなケースが増加しているが、医療用器具仲介業者が各医療機関の受診科毎に設定する商品在庫定数の不適切な設定、あるいは、在庫管理に用いるソフトウエアの機能不足により、「滅菌期限切れ」での商品の棄却や、医療機関での欠品の発生（医療用器具の在庫切れ）が、決して稀とはいえない確率で発生している。
【発明の開示】
【発明が解決しようとする課題】
【０００３】
前述した、「滅菌期限切れ」での商品の棄却や医療機関での医療用器具の欠品の発生は、医療用器具仲介業者、および、医療機関における健全な収益の確保、または、医療機関の円滑な医療行為の実践の妨げになることは明白であり、その状況を改善するために、各医療機関の受診科毎に設定する商品在庫定数の、より適切な値の算出を可能とし、また、欠品発生の頻度を抑え、万一、欠品が発生した場合でも、事態の解決を早め得るシステムや方法が求められるところである。
【課題を解決するための手段】
【０００４】
本発明は、医療用器具仲介業者から提供されるデータで、医療用器具仲介業者が各医療機関に配送（納入）した商品とその商品の配送に関する情報を記録した「商品情報データ」、「配送情報データ」と、その情報に付随する「病院情報データ」、「受診科情報データ」と、各医療機関から提供されるデータで、各医療機関が消費した取扱商品に関する情報を記録した「消費情報データ」と、本発明で使用する各入力手段から作成される「初期設定情報データ」、「滞留品調査ポイントデータ」、「欠品記録データ」、「在庫情報データ」、「受診科毎商品情報データ」、「月間消費統計情報データ」、「配送日間消費統計情報データ」、「ＷＥＢ商品流通データ」、「ＷＥＢ商品申込データ」と、予め、取引用サーバーＳ１に登録させておく「会員認証データ」と、それらデータを用いて＜配送回数設定処理＞、＜在庫圧縮計算処理＞、＜滞留商品移動処理＞、＜業者間ＷＥＢ取引処理＞を行う処理手段とからなる。尚、具体的なデータの例については、図２５に一括して表記している。
【０００５】
＜配送回数設定処理＞は、「消費情報データ」、病床数、外来者数、担当医師数等から判断される病院の規模により、週当たりの最も適切な配送スケジュールの設定を行う。
【０００６】
＜在庫圧縮計算処理＞は、＜配送回数設定処理＞で設定された情報に基づく配送間隔、および、月単位で、「配送情報データ」「消費情報データ」の集計・解析を行うことにより、商品在庫定数の統計上での最も適切な値を算出し、在庫管理担当者（医療用器具仲介業者）に、商品在庫定数の適切な是正を促すためのレポート発行を行う。さらに、そのレポートに基づいて行われた、商品在庫定数の是正による、在庫圧縮の効果、欠品発生確率の増減を数値的に判断させることのできるレポートの発行も行う。
【０００７】
＜滞留商品移動処理＞は、「配送情報データ」と「消費情報データ」から作成される「在庫情報データ」を参照し、「滞留調査ポイントデータ」の各項目の値を基準にして、滞留している商品の一覧を、定期的に、その移動先の候補とともにレポート上で提示し、「滅菌期限切れ」での商品の棄却の発生を抑える手段とする。
【０００８】
＜業者間ＷＥＢ取引処理＞は、滞留している商品で、医療用器具仲介業者が配送（納入）を行っている複数の医療機関中に、移動先の候補が見当たらない商品について、取引用サーバーＳ１に、その商品に関する情報を登録させる手段を提供し、その登録を行った医療用器具仲介業者とは異なる医療用器具仲介業者が、同商品について、欠品発生等の緊急時の商品取寄せ手段としての活用を可能にさせる。
【発明の第一実施形態】
【０００９】
本発明の実施形態を図に基づいて説明する。図１は本発明の実施に必要なハードウェアとそのハードウェアの結びつきを表した概略図である。これらハードウェアは、＜業者間ＷＥＢ取引処理＞を行わせるための取引用サーバーＳ１と、＜配送回数設定処理＞、＜在庫圧縮計算処理＞、＜滞留商品移動処理＞を行わせ、＜業者間ＷＥＢ取引処理＞で「滞留商品」を取引用サーバーＳ１に登録させ、また、既に登録されている「滞留商品」の取寄せ申込を行わせる手段としての在庫管理担当者用パソコンＰ２（在庫管理担当者が利用するコンピュータ）とからなり、取引用サーバーＳ１と在庫管理担当者用パソコンＰ２とは、インターネット等を代表とする通信手段２を通じてデータの送受信が可能になるように接続されている。取引用サーバーＳ１は、データを記憶するための記憶装置とデータを送受信するためのデータ送信部並びにデータ受信部とを内蔵し、記憶装置には＜業者間ＷＥＢ取引処理＞を実現するためのコンピュータプログラムと＜業者間ＷＥＢ取引処理＞を実現するためのデータが記憶されており、在庫管理担当者用パソコンＰ２には、データを記憶するための記憶装置とデータを送受信するためのデータ送信部並びにデータ受信部とを内蔵し、記憶装置には＜配送回数設定処理＞、＜在庫圧縮計算処理＞、＜滞留商品移動処理＞を実現するためのコンピュータプログラムと前述した処理を実現するためのデータが記憶されている。
【００１０】
次に、本発明の処理を実現するための具体的な処理手順について説明する。本発明における処理手順としては、最初に、＜配送回数設定処理＞にて、週単位での適切な医療機関への配送スケジュールを決定し、＜在庫圧縮計算処理＞が、その配送スケジュールを基準とした「配送間隔」単位で、「配送情報データ」「消費情報データ」の集計・解析を行うことにより、医療機関毎の、在庫圧縮の指標となる、商品在庫定数の適切な値の算出を行い、在庫管理担当者に提示する。また、定期的に、＜滞留商品移動処理＞を行うことにより、「滅菌期限切れ」での商品の棄却の可能性が高い取扱商品について、同一医療機関の他の診療科、あるいは、同一医療用器具仲介業者が配送を行っている他の医療機関への商品の移動の指示を在庫管理担当者に提示する。また、「滅菌期限切れ」での商品の棄却の可能性が高い取扱商品で、医療用器具仲介業者が配送（納入）を行っている複数の医療機関中に、移動先の候補が見つからない商品については、＜業者間ＷＥＢ取引処理＞にて、同商品に関する情報を取引用サーバーＳ１のデータとして登録させ、その登録を行った医療用器具仲介業者とは異なる医療用器具仲介業者に対し、該当商品の取り寄せ手段の提供を行っている。したがって、一般的には、図２のような手順で本発明の処理、および、運用が行われる。
【００１１】
＜配送回数設定処理＞は、＜配送計画初期設定＞（図４）と＜配送回数／週当設定＞（図３）で、構成されており、＜配送計画初期設定＞においては、１病床当たりの平均的な「年間医療用器具消費額」、１外来当たりの平均的な「年間医療用器具消費額」、１医師当たりの平均的な「年間医療用器具消費額」と「１回当たりの配送基準額」（各医療機関に対する配送１回分の平均的な医療用器具納入額を基準として、医療器具仲介業者が決定する値）等の情報を、本システム導入直後に、医療器具仲介業者が設定入力し、その情報を「初期設定情報データ」として、在庫管理担当者用パソコンＰ２に記憶させる。＜配送回数／週当設定＞では、医療機関毎に、週当たりの適切な配送回数と、配送曜日を算出し、医療用器具仲介業者が、その算出された値を参照し、医療用器具仲介業者の配車等の都合を考慮した上で、最終的な、配送回数と配送曜日の設定入力を行い、その情報を「病院情報データ」として、在庫管理担当者用パソコンＰ２に記憶させる。
【００１２】
＜配送計画初期設定＞は、１病床当たりの平均的な「年間医療器具消費額」、１外来当たりの平均的な「年間医療器具消費額」、１医師当たりの平均的な「年間医療器具消費額」について、基準病院（例えば、既に一定期間以上の「消費情報データ」を有する標準的な医療機関で、最も消費額の大きい医療機関等）の累積データから算出した値を「参考値」として、その値の表示を行う。
【００１３】
＜配送回数／週当設定＞は、既に一定期間以上の「消費情報データ」を蓄積している医療機関については、その「消費情報データ」から、１年当たりの平均医療器具消費額を求め、図５のI式によって週当たりの適切な配送回数を算出する。「消費情報データ」の蓄積がない、または、蓄積期間が一定期間に満たないの医療機関については、病床数と外来者数／日、または、担当医師数／日から、平均医療用器具消費額（１年当たり）の推定を行う計算（図５のII式）を行い、図５のII式で求められた値を、１年当たりの平均医療器具消費額と看做し、図５のI式を適用して、週当たりの適切な配送回数を算出する。
【００１４】
＜配送回数／週当設定＞は、欠品発生確率の最小化を企図し、図６の例のように、基準曜日（最も平均消費額の多い曜日）からの曜日毎の累計平均消費額を求め、図６の配送曜日の決定方法に基づいて、配送曜日を算出する。在庫管理担当者（医療用器具仲介業者）は、その算出された配送曜日を参考とし、医療用器具仲介業者の配車等の都合を考慮し、最終的な配送曜日の設定入力を行う。尚、一定期間以上の「消費情報データ」を蓄積していない医療機関については、曜日毎の標準的消費額（＜配送計画初期設定＞で予め入力を行う値）を参考値として表示し、その参考値から、配送回数、配送曜日を算出する。
【００１５】
＜在庫圧縮計算処理＞は、＜取扱商品各種情報設定＞（図７）と＜テストシミュレーション設定＞（図８）と＜定数是正シミュレーションレポート＞（図９）と＜定数是正候補一覧表＞（図１０）と＜定数是正結果分析レポート＞（図１１）で構成され、＜取扱商品各種情報設定＞においては、在庫管理担当者（医療器具仲介業者）が、在庫圧縮を行うためのシミュレーションに必要な情報である、「緊急」、「仕入期間」、「代替品」、「価格帯」等の商品毎の設定入力を行い、＜テストシミュレーション設定＞では、＜取扱商品各種情報設定＞で設定された情報と「配送情報データ」、「消費情報データ」から、＜テストシミュレーション設定＞で入力される「目標圧縮率」を達成するためのシミュレーション（商品在庫定数の適正化）を行い、その結果を、＜定数是正シミュレーションレポート＞、＜定数是正候補一覧表＞に出力する。
【００１６】
＜取扱商品各種情報設定＞の入力画面における「緊急」は、「緊急必需品」の略で、救急外来等で必要とされる医療器具等、欠品になることを最も避けなければならない商品を表し、該当する商品については、在庫管理担当者（医療用器具仲介業者）が、入力画面上でチェックを入れる。
【００１７】
＜取扱商品各種情報設定＞の入力画面における「仕入期間」は、医療用器具仲介業者がメーカーに対する発注を行ってから納品されるまでの期間で、初期値は「短期」であるが、「即日」「短期」以外の選択が行われた場合は、新たな商品在庫定数を算出する際に、リードタイムを見込んでその計算を行うことになる。
【００１８】
＜取扱商品各種情報設定＞の入力画面における「代替品」は、該当商品について、万一、欠品が生じた場合でも、同一診療科内で代用可能な取扱商品が存在する商品を表し、該当する商品については、在庫管理担当者（医療用器具仲介業者）が、入力画面上でチェックを入れる。
【００１９】
＜取扱商品各種情報設定＞の入力画面における「価格帯」は、「一般」と「高額」の二つの選択肢があり、より少数の品目で「目標圧縮額」の達成を行わせるため、「価格帯」以外の条件が同一である場合は、「高額」で設定された商品を優先的に在庫圧縮の対象品目として扱う。
【００２０】
＜取扱商品各種情報設定＞の入力画面における「院内共」とは、「院内共有」の略で、選択された医療機関で、選択された診療科以外の他の診療科でも使用されている商品（共有商品）か否かを表し、「院外共」とは、選択された医療機関以外で、同一医療用器具仲介業者が配送を行っている他の医療機関でも使用されている商品（共有商品）か否かを表しており、「院内共」、「院外共」のいずれについても、＜取扱商品各種情報設定＞が、提供されている「配送情報データ」の調査を行い、共有商品の場合には、入力画面上に予めチェックを入れて表示を行う。
【００２１】
＜取扱商品各種情報設定＞の入力画面における「定変」とは、「定期変動」の略で、各取扱商品の配送間隔単位での消費数の集計値のばらつき具合を表す指標で、例えば、図１２の「条件」に示された「消費データ」が与えられている場合、配送日から次の配送日の前日までを一区切りとする単位で、取扱商品の消費数の集計を行い、図１２の「範囲値の求め方」に従って、２０段階の範囲値を決定し、各集計値が、２０段階の範囲値のどの部分にあてはまっているかの調査を行い、当てはまっている回数を、段階毎に記録してゆき、回数が０でない最小の段階から、回数が０でない最大の段階まで（図１２のカウント例の網掛け部分）、何段階あるかによって、定期変動の「小」「中」「大」を決定する。「小」「中」「大」の基準は、「初期設定データ」の「定期変動判定基準１」以下の場合「小」、「定期変動判定基準２」以下の場合「中」、その他を「大」とするが、「定期変動判定基準１」、「定期変動判定基準２」は、変更可能な数値として扱うものとする。
【００２２】
＜取扱商品各種情報設定＞の入力画面における「３ヶ月」とは、「３ヶ月間の消費数の上昇、下降傾向」の略で、過去３ヶ月間の取扱商品の消費数が、平年の値（前年までの各月消費数の平均値）に比較し、連続的に（３ヶ月連続）上昇している場合は「↑」、連続的に（３ヶ月連続）下降している場合は「↓」、その他の場合は「→」として表現させる。尚、前年までの各月消費数の平均値と当年の各月の消費数との差により判断を行うので、図１３の例１のように、消費数が連続的に上昇していても、前年までの各月消費数の平均値と当年の各月の消費数の差が連続的に下降しているので、表示は「↓」になり、図１３の例２のように消費数に変化がない場合でも、前年までの各月消費数の平均値と当年の各月の消費数の差が連続的に上昇しているので、表示は「↑」となる。
【００２３】
＜取扱商品各種情報設定＞は、＜取扱商品各種情報設定＞で入力された情報を、「受診科毎商品情報データ」として、在庫管理担当者用パソコンＰ２に記憶させる。
【００２４】
＜テストシミュレーション設定＞では、随時、各医療機関単位で、在庫圧縮額の目標値を設定して、限られた件数のデータ（総取扱品目の１０％程度の無作為に選択されたデータで、件数に関しては変更可能とするデータ）で、シミュレーションを行った後に、各医療機関で使用する全ての医療用器具取扱商品について、統計上での適切な商品在庫定数の計算を行う。
【００２５】
＜テストシミュレーション設定＞における、在庫圧縮額の算出方法について、図１４の例を用いて説明を行う。まず最初に、図１４の式Iの計算式で、現在定数での総在庫額を求め、その総在庫額に＜テストシミュレーション設定＞で入力された「目標値（％）」の値を掛け、目標圧縮額の値を算出する。次に、商品毎に新たな商品在庫定数（新定数I）を仮決定し、式IIIの計算式で、商品毎の在庫圧縮額を算出する。在庫圧縮額の算出後、優先順位の高い商品から商品毎の圧縮額の累計値を順次算出してゆき、その累計値が目標圧縮額の値を超えたところまでを、在庫圧縮対象品目として、新たな商品在庫定数（新定数I）を適用させる。全ての商品についての累計値の算出が行われた時点で、その累計値が目標圧縮額の値を超えていない場合は、一旦、全ての商品に新たな商品在庫定数（新定数I）を適用させ、さらに、新たなる商品在庫定数（新定数II）を仮決定し、前述した方法と同様の方法で、商品在庫定数（新定数II）の適用を行わせていく。このような処理（在庫定数の仮決定→商品毎の在庫圧縮額の算出→優先順位の高い商品から商品毎の在庫圧縮額の累計値の算出→目標圧縮額の値を超えるまで、優先順位の高い商品から、仮決定した商品在庫定数の適用）を繰り返すことによって、目標値を達成するための適切な商品在庫定数が決定される。
【００２６】
在庫圧縮額の算出方法に関する補足で、商品毎の新しい在庫定数の仮決定を行う方法を、図１５の例を用いて説明を行う。まず最初に、図１２で説明を行った「２０段階の範囲値毎のカウント」表を作成し、その上で、各範囲値に当てはまる回数の累積回数を求め、その累積回数が、全部の回数に対してどれだけの割合を占めるかの計算を行い、図１５の例であれば、最初の新たな定数（定数I）には、割合１００％に対する定数である１７、次の新たな定数（定数ＩＩ）には、割合９５％に対する定数である１５、以降の定数については、割合をさらに５％ずつ減じた位置に対応する定数、という考え方に基づいて新たな定数が決定される。尚、仕入期間が「即日」「短期」以外の商品については、定数の計算にリードタイムを見込み、図１６の式Iを適用し、「リードタイム加算分」の値を、前述した定数に加える。尚、＜テストシミュレーション設定＞は、「２０段階の範囲値毎のカウント」表を、「配送日間消費統計情報データ」として、在庫管理担当者用パソコンＰ２に記憶させる。
【００２７】
さらに、在庫圧縮額の算出方法に関する補足で、商品毎の圧縮額の累計値を求めていく優先順位についての説明を行う。商品毎の圧縮額の累計値を求めていく優先順位については、図１７の(1)〜(8)に示されているように、原則的に欠品が発生した場合に、対処しやすい商品から対処しにくい商品の順番で累計を行ってゆく。さらに、同一対処方法の商品の場合には、「３ヶ月間の消費数の上昇、下降傾向」が「↓」「→」「↑」の順、「３ヶ月間の消費数の上昇、下降傾向」が同一の場合は、「定期変動」が「小」「中」「大」の順、「定期変動」が同一の場合は、「仕入期間」が短期の商品を優先し、さらに、「仕入期間」が同一の場合は、「価格帯」が「高額」「一般」の順で累計を行ってゆく。尚、＜テストシミュレーション設定＞は、「３ヶ月間の消費数の上昇、下降傾向」を調査するに当たって、提供された「消費情報データ」から「月間消費統計情報データ」を作成し、在庫管理担当者用パソコンＰ２に記憶させる。
【００２８】
＜テストシミュレーション設定＞は、＜テストシミュレーション設定＞で指定された医療機関について、該当する医療機関の「消費情報データ」、「配送情報データ」の累積期間に応じ、直前の最小３ヶ月、最大１２ヶ月のデータを使用して、在庫圧縮に関する、シミュレーションを行い、その結果を、在庫管理担当者（操作者）に、＜テストシミュレーション設定＞の画面上で、告知する。具体的には、＜テストシミュレーション設定＞で指定された、在庫圧縮目標額を達成するための商品在庫定数（現在定数）の仮是正を行った上で、提供された該当医療機関の「消費情報データ」、「配送情報データ」から、累積期間内に発生した「納入」と「消費」による在庫の増減を、発生順にシミュレートさせ、その結果としての、配送期間の平均在庫額がいくらになり、欠品や院内の他の診療科からの商品の取寄せが何回発生するか等の情報を表示させる。
【００２９】
＜テストシミュレーション設定＞での結果表示を、在庫管理担当者（医療用器具仲介業者）が確認し、納得できる結果を得られた場合には、＜テストシミュレーション設定＞の「定数是正実行」ボタンを、在庫管理担当者（医療用器具仲介業者）が、押下することにより、＜テストシミュレーション設定＞は、前述したシミュレーションと同じ方法で、該当医療機関の全ての医療用器具取扱商品について、新たな商品在庫定数の算出を行い、さらに、その算出定数による、最小３ヶ月、最大１２ヶ月の直前データを使用したシミュレーションの結果を、レポート（＜定数是正シミュレーションレポート＞）上に出力する。また、算出された定数が、現在設定されている定数と異なる商品については、＜定数是正候補一覧表＞として、レポート上に、該当する取扱商品の現在の定数、新たな定数などの情報を一覧表示する。
【００３０】
＜定数是正候補一覧表＞については、レポート上に、前述した商品に関する情報を出力するが、定数是正の最終的な判断、および、定数変更の手続きについては、各医療機関の医療従事者の許可が必要とされる場合が多いので、各医療機関の医療従事者が、判断を行いやすい情報の提供を企図し、配送間隔単位での消費状況、月単位での消費状況、配送間隔単位での消費数の最大値、最小値、平均等の数値情報を提供し、各医療機関の医療従事者に円滑な判断を促すものとする。
【００３１】
是正された定数による在庫管理が、諸事情の変化に伴い、実情にそぐわなくなる、といった状況も発生し得ることを鑑み、＜定数是正結果分析レポート＞では、定数変更日から現在までの、取扱商品の欠品の発生状況などをレポート上で確認できるようにする。＜定数是正結果分析レポート＞は、原則的に＜定数是正シミュレーションレポート＞と、ほぼ同様の情報をレポート上に表示するが、異なる点としては、使用するデータを、商品定数の変更を行った日から現在までとしていることと、定数の是正を行わなかった商品も含む全取扱商品での欠品の発生状況等と定数を是正した商品のみでの欠品の発生状況等を、並列してレポート上に出力する等であり、＜定数是正結果分析レポート＞の結果を考慮し、＜在庫圧縮計算処理＞を用いて、再度シミュレーションを行う、あるいは、特に問題のある商品についてのみ、在庫管理担当者（医療器具仲介業者）が、定数の再是正を行う等で、より適正な在庫管理を目指す手段としての活用を行わせる。尚、＜定数是正結果分析レポート＞は、提供された「配送情報データ」「消費情報データ」から、逐次、「在庫情報データ」の作成、更新を行い、その「在庫情報データ」から得られる、欠品等の発生状況を、「欠品記録データ」として、在庫管理担当者用パソコンＰ２に記憶させる。
【００３２】
＜滞留商品移動処理＞は、＜滞留商品調査ポイント設定＞（図１８）と＜滞留商品調査＞（図１９）で構成され、＜滞留商品調査ポイント設定＞においては、移動候補となる滞留品の定義とチェックを行うタイミングを設定し、その設定された情報をもとに、定期的に（１ヶ月に１回等）＜滞留商品調査＞を実行させることにより、滅菌期限切れでの、取扱商品の棄却の発生を抑える。
【００３３】
＜滞留商品調査ポイント設定＞では、＜滞留商品調査ポイント設定＞の項目である「チェックポイント」「対象」の設定を行うが、「チェックポイント」は、取扱商品の納入日から滅菌期限までの日数のうち、どれだけの割合を経過した後に、該当商品のチェックを行うかの設定で、「対象」は、チェックポイントに達した商品の納入数に対する消費数が、どれだけの割合以下の場合に、滞留品とみなすべきかの設定となる。例えば、チェックポイントが５０、対象が５０で設定されている場合、ある取扱商品の納入日が、２００４年１２月１日で、滅菌期限が２００６年１１月３０日となっていたとすると、納入日から滅菌期限までの日数が７３０日となるので、納入後、３６５日を経過した、２００５年１２月１日以降で、＜滞留品調査＞を最初に実行した日に、その取扱商品についての調査が行われ、納入数が１０である場合、消費数が５（納入数の５０％）以下の場合、滞留品として扱う、という考え方に基づいて設定が行われる。尚、「チェックポイント」と、それに対応する「対象」は、複数組設定できるものとし、設定入力された情報は、「滞留品調査ポイントデータ」として、在庫管理担当者用パソコンＰ２に記憶させる。
【００３４】
＜滞留品調査＞では、前述した考え方に基づいて、指定された医療機関について、「配送情報データ」の配送日、「消費情報データ」の消費日から、「チェックポイント」の条件を満たす、全ての医療用器具取扱商品について、調査を行い、滞留品とみなした商品をレポート（＜滞留商品移動候補一覧＞（図２０））上に出力する。尚、＜滞留商品移動候補一覧表＞では、＜定数是正候補一覧表＞と同様に、他の診療科、あるいは、他の医療機関への商品の移動を行なわせるかどうかの最終的な判断、および、手続きについては、各医療機関の医療従事者の許可が必要とされる場合が多いので、各医療機関の医療従事者が、判断を行いやすい情報の提供を企図し、該当商品の定数、現在庫数、納入から現在までの経過日数、納入から現在までの消費数などの出力を行うとともに、該当商品が、同一医療機関の他の診療科、あるいは、同一医療器具仲介業者が配送を行っている他の医療機関でも使用されている場合は、その診療科、あるいは、医療機関の在庫状況、消費状況等を考慮した上で、移動先候補として、その医療機関の名称、診療科の名称、移動（納入）可能な適正数（移動先の現在庫を含め、滅菌期限切れまでに十分に消費仕切れる数）等の提示を行う。
【００３５】
＜滞留商品移動候補一覧＞の商品区分は、＜業者間ＷＥＢ取引処理＞で、在庫管理担当者（医療用器具仲介業者）が、「ＷＥＢ商品流通データ」として登録している情報から、目的の商品を探しやすくするための区分で、医療用器具取扱業者が共有できる一般的な分類コード等を使用し、原則的に、「商品情報データ」に予め登録しておいたものを使用する。
【００３６】
＜滞留商品移動候補一覧＞の適正単価ポイントは、＜業者間ＷＥＢ取引処理＞で、医療用器具仲介業者どうしが、取扱商品の取引を行う際に、交換の目安となる、貨幣価値に準拠したポイントとなり、＜滞留品調査＞が、＜滞留商品移動候補一覧＞を出力する際に、図２１の式を用いて計算を行う。
【００３７】
＜業者間ＷＥＢ取引処理＞は、＜滞留品ＷＥＢ流通商品登録＞（図２２）、＜滞留品ＷＥＢ流通商品申込＞（図２３）、＜滞留品ＷＥＢ流通商品申込受入設定＞（図２４）で構成され、＜滞留商品移動候補一覧表＞に、滞留品として出力された商品で、移動先候補のない商品について、＜滞留品ＷＥＢ流通商品登録＞から、医療用器具仲介業者が、その情報の登録を行い、さらに、登録を行った医療用器具仲介業者と異なる医療用器具仲介業者が、＜滞留品ＷＥＢ流通商品申込＞にて、その登録された情報を閲覧し、商品の取寄せを行いたいと考える場合に、＜滞留品ＷＥＢ流通商品申込＞の入力画面上から申し込みを行い、登録を行った医療用器具仲介業者が、＜滞留品ＷＥＢ流通商品申込受入設定＞にて、その申込を受け入れることにより、医療用器具仲介業者間での、商品の取引を成立を決定させる処理となる。
【００３８】
＜業者間ＷＥＢ取引処理＞の構成要素となる＜滞留品ＷＥＢ流通商品登録＞、＜滞留品ＷＥＢ流通商品申込＞、＜滞留品ＷＥＢ流通商品申込受入設定＞は、取引用サーバーS１の記憶装置に記憶されているコンピュータプログラムであり、在庫管理担当者用パソコンＰ２に備え付けられたブラウザ手段を通じて、取引用サーバーS１に記憶されているデータをもとに情報の表示、および、ブラウザ手段からの入力による、取引用サーバーS１へのデータの書込みを行わせる。
【００３９】
＜業者間ＷＥＢ取引処理＞は、原則的に、会員専用の取引手段となっているので、＜滞留品ＷＥＢ流通商品登録＞、＜滞留品ＷＥＢ流通商品申込＞、＜滞留品ＷＥＢ流通商品申込受入設定＞は、会員番号、パスワードによる認証を必須とし、在庫管理担当者（医療用器具仲介業者）が、ブラウザ手段を通じて、会員番号、パスワードの入力、送信を行うと、＜滞留品ＷＥＢ流通商品登録＞、＜滞留品ＷＥＢ流通商品申込＞、＜滞留品ＷＥＢ流通商品申込受入設定＞は、取引用サーバーS１の記憶装置に予め記憶されている「会員認証データ」を参照し、照合が確認された場合にのみ、以降の処理を継続させる。
【００４０】
＜滞留品ＷＥＢ流通商品登録＞は、会員番号、パスワードの認証完了後、取引を行いたい商品に関する情報の入力を可能にさせ、送信ボタンの押下により、取引用サーバーS１の記憶装置に、入力された情報を「ＷＥＢ商品流通データ」として記憶させる。具体的には、在庫管理担当者（医療器具仲介業者）が、＜滞留品ＷＥＢ流通商品登録＞での会員番号、パスワードの認証を完了させた後、＜滞留商品移動候補一覧＞に表示（印字）されている取扱商品で、他の医療用器具仲介業者と取引を行いたいと思う商品（主に、移動先候補がない商品）について、＜滞留商品移動候補一覧＞に表示（印字）されている、メーカー名、商品区分、メーカー商品Ｎｏ、滅菌期限、単品ポイントと取引したい数量をブラウザ手段を通じて入力し、送信ボタンを押す、といった操作によって、取引用サーバーS１に「ＷＥＢ商品流通データ」の書き込みが行われる。
【００４１】
＜滞留品ＷＥＢ流通商品申込＞は、会員番号、パスワードの認証完了後、取引用サーバーS１に「ＷＥＢ商品流通データ」として登録されている情報から、在庫管理担当者（医療器具仲介業者）が入力した商品区分、または、メーカー名とメーカー商品Ｎｏに該当する商品情報の表示を行い、在庫管理担当者（医療器具仲介業者）が申込数を入力し、送信ボタンを押下すると、取引用サーバーS１の記憶装置に、申込数と申込された商品に関する情報を「ＷＥＢ商品申込データ」として記憶させる。具体的には、在庫管理担当者（医療器具仲介業者）が、＜滞留品ＷＥＢ流通商品申込＞での会員番号、パスワードの認証を完了させた後、入手したいと思っている商品の商品区分、または、メーカー名とメーカー商品番号をブラウザ手段を通じて入力すると、＜滞留品ＷＥＢ流通商品申込＞が、取引用サーバーS１の「ＷＥＢ商品流通データ」として登録されているデータから、入力された商品区分、または、メーカー名とメーカー商品番号の一致するデータの検索を行い、一致するデータが探し出された場合、ブラウザ手段を通じて、その取扱商品に関する情報を一覧表示する。在庫管理担当者（医療器具仲介業者）は、その一覧表示された商品の情報を確認し、取引を成立させたいと思う場合は、該当商品の「申込数」に、取引したい数量をブラウザ手段を通じて入力し、送信ボタンを押す。＜滞留品ＷＥＢ流通商品申込＞は、申込数が入力された商品について、その商品に関する情報と申込数を、取引用サーバーS１の「ＷＥＢ商品申込データ」として、書込みを行う。
【００４２】
＜滞留品ＷＥＢ流通商品申込受入設定＞は、会員番号、パスワードの認証完了後、在庫管理担当者（医療器具仲介業者）が登録したデータで他の医療器具仲介業者からの申込のあったデータの一覧表示を行い、在庫管理担当者（医療器具仲介業者）が、その申込を許可すべく、＜滞留品ＷＥＢ流通商品申込受入設定＞の受入れ入力の枠にチェックを入れ、送信ボタンを押下した場合、取引用サーバーS１に記憶されている「ＷＥＢ商品流通データ」と「ＷＥＢ商品申込データ」の更新を行う。具体的には、在庫管理担当者（医療器具仲介業者）が、＜滞留品ＷＥＢ流通商品申込受入設定＞での会員番号、パスワードの認証を完了させた後、＜滞留品ＷＥＢ流通商品申込受入設定＞が、取引用サーバーS１に登録されている「ＷＥＢ商品申込データ」の登録者番号と認証された会員番号が一致するデータを抽出し、その抽出された情報の一覧表示を行い、在庫管理担当者（医療器具仲介業者）が、その情報を確認し、＜滞留品ＷＥＢ流通商品申込受入設定＞の受入れ入力の枠にチェックを入れ、送信ボタンを押下すと、＜滞留品ＷＥＢ流通商品申込受入設定＞は、取引用サーバーS１に記憶されている「ＷＥＢ商品流通データ」の決定数に申し込み数を加算し、「ＷＥＢ商品申込データ」の受入れチェックを「受入れ済」の状態にする。
【００４３】
＜滞留品ＷＥＢ流通商品申込受入設定＞は、「ＷＥＢ商品流通データ」と「ＷＥＢ商品申込データ」の更新を行った後に、申込を行った医療用器具仲介業者に対して、申込が受け入れられたことを伝えるための、電子メールの発行を行ない、このメールの発行により、医療器具仲介業者間での取引が成立したと看做される。
【図面の簡単な説明】
【００４４】
【図１】本発明に係る、医療用器具の在庫圧縮と、業者間での医療用器具の取引の一実施形態を示す各装置の概略図である。
【図２】本発明に基づいて、医療用器具の在庫圧縮と、業者間での医療用器具の取引を実現するための処理手順の概念を表した図である。
【図３】在庫管理担当者が使用する「配送回数／週当設定」の入力フォームを表した図である。
【図４】在庫管理担当者が使用する「配送計画初期設定」の入力フォームを表した図である。
【図５】配送回数の決定に関する式と具体的な計算例を表した図である。
【図６】配送曜日の決定方法（式を含む）と具体的な例を表した図である。
【図７】在庫管理担当者が使用する「取扱商品各種情報設定」の入力フォームを表した図である。
【図８】在庫管理担当者が使用する「テストシミュレーション設定」の入力フォームを表した図である。
【図９】在庫管理担当者が閲覧する「定数是正シミュレーションレポート」の出力結果の例を表した図である。
【図１０】在庫管理担当者、医療従事者が閲覧する「定数是正候補一覧表」の出力結果の例を表した図である。
【図１１】在庫管理担当者が閲覧する「定数是正結果分析レポート」の出力結果の例を表した図である。
【図１２】定期変動における値の決定方法（式を含む）と具体的な例を表した図である。
【図１３】「３ヶ月間の消費数の上昇、下降傾向」における値の決定方法（式を含む）と具体的な例を表した図である。
【図１４】在庫圧縮の対象となる品目の決定方法（式を含む）と具体的な例を表した図である。
【図１５】新たなる商品在庫定数の仮決定の方法（式を含む）と具体的な例を表した図である。
【図１６】新たなる商品在庫定数の仮決定におけるリードタイムの考え方（式を含む）と具体的な例を表した図である。
【図１７】在庫圧縮対象品目の優先順位を表した図である。
【図１８】在庫管理担当者が使用する「滞留品調査ポイント設定」の入力フォームを表した図である。
【図１９】在庫管理担当者が使用する「滞留品調査」の入力フォームを表した図である。
【図２０】在庫管理担当者、医療従事者が閲覧する「滞留商品移動候補一覧表」の出力結果の例を表した図である。
【図２１】適正単価ポイントの決定方法（式を含む）と具体的な例を表した図である。
【図２２】在庫管理担当者が使用する「滞留品ＷＥＢ流通商品登録」の入力フォームを表した図である。
【図２３】在庫管理担当者が使用する「滞留品ＷＥＢ流通商品申込」の入力フォームを表した図である。
【図２４】在庫管理担当者が使用する「滞留品ＷＥＢ流通商品申込受入設定」の入力フォームを表した図である。
【図２５−ａ】本発明に係る、データの具体的な例を表した図である。
【図２５−ｂ】本発明に係る、データの具体的な例を表した図である。
【図２５−ｃ】本発明に係る、データの具体的な例を表した図である。
【図２５−ｄ】本発明に係る、データの具体的な例を表した図である。
【図２】
2006252101.tif 000003
【図５】
2006252101.tif 000004
【図６】
2006252101.tif 000005
【図１２】
2006252101.tif 000006
【図１３】
2006252101.tif 000007
【図１４】
2006252101.tif 000008
【図１５】
2006252101.tif 000009
【図１６】
2006252101.tif 000010
【図１７】
2006252101.tif 000011
【図２１】
2006252101.tif 000012
【図２５−ａ】
2006252101.tif 000013
【図２５−ｂ】
2006252101.tif 000014
【図２５−ｃ】
2006252101.tif 000015
【図２５−ｄ】
2006252101.tif 000016
【図１】
2006252101.tif 000017
【図３】
2006252101.tif 000018
【図４】
2006252101.tif 000019
【図７】
2006252101.tif 000020
【図８】
2006252101.tif 000021
【図９】
2006252101.tif 000022
【図１０】
2006252101.tif 000023
【図１１】
2006252101.tif 000024
【図１８】
2006252101.tif 000025
【図１９】
2006252101.tif 000026
【図２０】
2006252101.tif 000027
【図２２】
2006252101.tif 000028
【図２３】
2006252101.tif 000029
【図２４】
2006252101.tif 000030